(57)【要約】【課題】アームの先端部にスライダーを枢支する縦軸（回動支点ピン）が、不慮に弛緩してしまうことを防止する。【解決手段】基端部がドアークローザー本体（Ｃ）に枢支連結されたアーム（５）の先端部と、スライドガイドレール（９）へスライド自在に係合されたスライダー（１１）とを、縦軸により枢支連結したコンシールド型ドアークローザーにおいて、上記縦軸を芯軸（Ｂ）とこれに螺合締結される鞘軸（Ｎ）とから成る二重軸として、その鞘軸（Ｎ）の一端部を上記アーム（５）の先端部へ回動不能に差し込み固定すると共に、同じく鞘軸（Ｎ）の他端部を上記スライダー（１１）へ回動自在に差し込み嵌合させた。【選択図】図５
2014152502.tif 000002
【特許請求の範囲】
【請求項１】
基端部がドアークローザー本体に枢支連結されたアームの先端部と、スライドガイドレールへスライド自在に係合されたスライダーとを、縦軸により枢支連結したコンシールド型ドアークローザーにおいて、
上記縦軸を芯軸とこれに螺合締結される鞘軸とから成る二重軸として、その鞘軸の一端部を上記アームの先端部へ回動不能に差し込み固定すると共に、同じく鞘軸の他端部を上記スライダーへ回動自在に差し込み嵌合させたことを特徴とするコンシールド型ドアークローザー。
【請求項２】
鞘軸における一端部の差し込み頭部とそのアーム側に開口する鞘軸の差し込み頭部受け入れ嵌合口とを、正多角形や長方形、楕円形、半円形、その他のフラットな一辺面がある輪郭形状に対応形成したことを特徴とする請求項１記載のコンシールド型ドアークローザー。
【請求項３】
鞘軸における一端部の差し込み頭部を受け入れる正方形の嵌合口と、これよりも径大な芯軸の頭部を受け入れる円形の嵌合口とを、アームの先端部へ同芯連通状態に加工形成して、
その円形の嵌合口へ芯軸の径大な頭部を沈没状態に差し込み嵌合させたことを特徴とする請求項１記載のコンシールド型ドアークローザー。
【請求項４】
アームに対する鞘軸の差し込み深さ規定フランジを、その鞘軸の中途部から径方向へ連続一体に張り出す一方、
芯軸の頭部を上記鞘軸側の深さ規定フランジとほぼ同じ寸法の径大な円形に張り出すと共に、その頭部の中心に芯軸回動操作工具用の係止凹溝を切り欠いたことを特徴とする請求項１記載のコンシールド型ドアークローザー。
【請求項５】
焼結合金の軸受スリーブを合成樹脂のスライダーへ埋設一体化すると共に、
上記軸受スリーブへ回動自在に差し込み嵌合させた鞘軸の他端部を、その軸受スリーブからの抜け止め座金にかしめ付けたことを特徴とする請求項１記載のコンシールド型ドアークローザー。
【発明の詳細な説明】
【技術分野】
【０００１】
本発明はコンシールド型ドアークローザーの改良に係り、殊更そのアーム先端部とスライダーとを枢支連結する縦軸が早期に弛緩してしまうおそれを予防するために工夫されたものである。
【背景技術】
【０００２】
この種のコンシールド型ドアークローザーは周知であり、例えば特許文献１の図１や図７、８から明白なように、扉（１）の上縁に埋設されたドアークローザー本体（２）と、そのドアークローザー本体（２）の閉扉速度調整手段における回転要素（出力軸）に結合されたアーム（３）と、戸口の上縁（扉上枠）に沿って固定されたチャンネル溝形のスライドガイドレール（４）とを備えており、そのレール（４）へスライド自在に係合されたスライダー（１０）と、上記アーム（３）の先端部とがアーム用ピン（６）を介して枢支連結されている。
【０００３】
しかも、その場合アーム用ピン（６）の一端部は軸受（７）によって、スライダー（１０）へ回動自在に取り付けられており、同じくピン（６）の他端部は上記アーム（３）へ螺合締結手段によって固定されている通例である。
【先行技術文献】
【特許文献】
【０００４】
【特許文献１】特開２０１２−７２５６９号公報
【発明の概要】
【発明が解決しようとする課題】
【０００５】
ところが、特許文献１に例示されているような従来の構成では、上記スライダー（１０）を枢支連結するアーム用ピン（６）の根元部が、そのピン（６）側の雄ネジとアーム（３）側の雌ネジとの単なる螺合締結状態にあるに過ぎないため、たとえそのピン（６）を六角棒スパナによって強く締め付けたとしても、扉開閉時の振動やショックなどを繰り返し受ければ、極めて容易に弛緩してしまうのである。
【０００６】
特に、上記アーム（３）の板厚寸法は僅か約６mmの通例であり、しかもそのアーム（３）の表面から上記ピン（６）を張り出すことも許されない条件下にあるため、上記雄ネジと雌ネジとの螺合締結代をアーム（３）の板厚寸法よりも大きく確保することができず、その締結力を増大させることに自づと限界がある。
【０００７】
この点、特許文献１の第４頁段落〔００１４〕には、「ドアクローザの使用中に緩まないように上記雄ネジに緩み止めのために樹脂を溶着することが望ましい。」と記載されているが、このような溶剤をピン（６）の雄ネジに塗布したとしても、上記アーム（３）の板厚寸法が極めて薄いという制約を受けることに変りはなく、更にその溶剤の揮散・固化による接着であると考えられるため、使用中の歪み変形やショックなどを少しでも受ければ、その接着状態が即刻に破壊されてしまい、脱落することは必至である。
【０００８】
そして、上記のような問題は標準取り付け仕様だけでなく、所謂逆取り付け仕様として、ドアークローザー本体を戸口の上縁（扉上枠）へ設置する一方、スライドガイドレールを扉の上縁に設置する場合においても、全く同様に言えることである。
【課題を解決するための手段】
【０００９】
本発明はこのような課題の改良を目的としており、その目的を達成するために、請求項１では基端部がドアークローザー本体に枢支連結されたアームの先端部と、スライドガイドレールへスライド自在に係合されたスライダーとを、縦軸により枢支連結したコンシールド型ドアークローザーにおいて、
【００１０】
上記縦軸を芯軸とこれに螺合締結される鞘軸とから成る二重軸として、その鞘軸の一端部を上記アームの先端部へ回動不能に差し込み固定すると共に、同じく鞘軸の他端部を上記スライダーへ回動自在に差し込み嵌合させたことを特徴とする。
【００１１】
又、請求項２では鞘軸における一端部の差し込み頭部とそのアーム側に開口する鞘軸の差し込み頭部受け入れ嵌合口とを、正多角形や長方形、楕円形、半円形、その他のフラットな一辺面がある輪郭形状に対応形成したことを特徴とする。
【００１２】
請求項３では鞘軸における一端部の差し込み頭部を受け入れる正方形の嵌合口と、これよりも径大な芯軸の頭部を受け入れる円形の嵌合口とを、アームの先端部へ同芯連通状態に加工形成して、
【００１３】
その円形の嵌合口へ芯軸の径大な頭部を沈没状態に差し込み嵌合させたことを特徴とする。
【００１４】
請求項４ではアームに対する鞘軸の差し込み深さ規定フランジを、その鞘軸の中途部から径方向へ連続一体に張り出す一方、
【００１５】
芯軸の頭部を上記鞘軸側の深さ規定フランジとほぼ同じ寸法の径大な円形に張り出すと共に、その頭部の中心に芯軸回動操作工具用の係止凹溝を切り欠いたことを特徴とする。
【００１６】
更に、請求項５では焼結合金の軸受スリーブを合成樹脂のスライダーへ埋設一体化すると共に、
【００１７】
上記軸受スリーブへ回動自在に差し込み嵌合させた鞘軸の他端部を、その軸受スリーブからの抜け止め座金にかしめ付けたことを特徴とする。
【発明の効果】
【００１８】
請求項１の構成によれば、アームの先端部とスライダーとを枢支連結する縦軸が、そのアームの先端部へ回動不能に差し込み固定された鞘軸と、これに螺合締結された芯軸とから成る二重軸であるため、ドアーの開閉される毎にスライダーが回動して、振動やショックなどの外力を繰り返し受けるも、上記鞘軸が不慮に回動したり、その芯軸との締結状態が弛緩したり、ましてアームから抜け落ちたりするおそれはなく、冒頭に述べた従来技術の課題を確実に解決できる効果がある。
【００１９】
その場合、請求項２の構成を採用するならば、上記鞘軸における一端部の差し込み頭部をこれと対応合致するアーム側の鞘軸の差し込み頭部受け入れ嵌合口へ、回動不能な差し込み嵌合状態に固定維持することができ、安定性に優れる。
【００２０】
また、請求項３の構成を採用するならば、一定な板厚寸法を有するアームの先端部へ、上記鞘軸の差し込み頭部を受け入れる正方形の嵌合口と、芯軸の頭部を受け入れる円形の嵌合口とを、その同芯連通状態として容易に加工形成することができ、しかも上記芯軸の頭部をそのアームの対応的な受け入れ嵌合口へ、沈没状態に差し込み嵌合させることにより、これがアームの表面から突出して、ドアークローザー本体やドアーなどに干渉したり、意匠性を阻害したりすることを防止し得る効果もある。
【００２１】
請求項４の構成を採用するならば、鞘軸の中途部から張り出す径大な差し込み深さ規定フランジと、芯軸の径大な頭部とによって、上記鞘軸をアームへ振れ動くおそれなく、しかも弛緩や脱落などのおそれなく、安定裡に差し込み固定することができ、優れた耐久強度を得られる。
【００２２】
更に、請求項５の構成を採用するならば、スライダーを上記鞘軸の他端部へ回動自由に枢支し得ることは勿論、その回動作用の円滑性と軸受構造の耐久性をますます向上できる効果がある。
【図面の簡単な説明】
【００２３】
【図１】本発明に係るコンシールド型ドアークローザーの標準取付状態（開扉状態）を示す平面図である。
【図２】同じく閉扉状態を示す図１に対応する平面図である。
【図３】図２の部分拡大正面図である。
【図４】図３のスライドガイドレールを抽出して示す底面図である。
【図５】図３の要部拡大断面図である。
【図６】アームとスライダーとの枢支連結状態を示す正面図である。
【図７】図６の平面図である。
【図８】図７の底面図である。
【図９】図６の９−９線断面図である。
【図１０】アームを抽出して示す平面図である。
【図１１】図１０の正面図である。
【図１２】鞘軸（雌ネジ口筒）を抽出して示す正面図である。
【図１３】図１２の平面図である。
【図１４】図１２の底面図である。
【図１５】芯軸（ボルト）を抽出して示す正面図である。
【図１６】図１５の平面図である。
【図１７】図１５の底面図である。
【図１８】スライダーを抽出して示す正面図である。
【図１９】図１８の側面図である。
【図２０】図１８の２０−２０線断面図である。
【図２１】軸受スリーブを抽出して示す正面図である。
【図２２】図２１の平面図である。
【発明を実施するための形態】
【００２４】
以下、図面に基いて本発明の好適な実施形態を詳述すると、そのコンシールド型ドアークローザーにおける標準取付状態の概略全体を示した図１〜５において、（Ｄ）は垂直なドアー開口側枠（１）へピボットヒンジ（２）を介して枢着されたドアーであり、出入り口（通路）を開閉作用する。
【００２５】
（Ｃ）はそのドアー（Ｄ）の上縁部へ取付板（３）を介して埋設一体化されたドアークローザー本体であって、閉扉速度調整手段（図示省略）を具備しており、これから垂立する回動出力軸（４）の上端角軸部（４ａ）には、帯板状アーム（５）の基端部（ドアー吊り元側の端部）に開口する対応的な角形の嵌合口（５ａ）が、一体回動し得るように差し込み嵌合されている。（６）はそのアーム（５）の抜け止め座金、（７）は固定ボルトであり、上記回動出力軸（４）の上端角軸部（４ａ）に開口するネジ孔（８）へ、上方から螺合締結されている。
【００２６】
他方、（９）はドアー開口上枠（１０）に沿って取り付け固定されたスライドガイドレールであり、下向き開口するリップチャンネル溝形の鋼材又はアルミ材から成る。（１１）はそのスライドガイドレール（９）へスライド自在に係合されたスライダーであって、高強度な合成樹脂（好ましくはポリアセタール又は６６ナイロン）からほぼ四角形の平盤状をなし、その内部には焼結合金のボビン形をなす軸受スリーブ（１２）がインサート成形によって埋設されているほか、その一辺面からは上記スライドガイドレール（９）の長手方向に沿って係止フック（１３）が連続一体に突設されている。
【００２７】
更に、その係止フック（１３）のドアー吊り元側に向かって突出する先端部と係脱自在に係止し得るストッパー（１４）が、上記スライドガイドレール（９）の適当な位置に取り付け固定されており、そのスライダー（１１）の係止フック（１３）がストッパー（１４）へ係止されることによって、図１のようにドアー（Ｄ）の開度が一定に保たれるようになっている。
【００２８】
そして、ドアー（Ｄ）を閉鎖すると、図２、３のように、そのスライダー（１１）の係止フック（１３）と上記ストッパー（１４）との係止状態が解除され、そのドアー（Ｄ）はドアークローザー本体（Ｃ）の閉扉速度調整手段によって、ゆっくりと閉鎖されることになり、その閉扉時の振動やショックなどを緩和する。
【００２９】
上記アーム（５）の先端部とスライダー（１１）とは図５〜９や図１０〜２２から明白なように、上記ドアークローザー本体（Ｃ）における回動出力軸（４）の軸線（Ｏ−Ｏ）と平行な軸線（Ｈ−Ｈ）に沿い垂立する縦軸を介して枢支連結されている。
【００３０】
その縦軸は本発明の場合、芯軸（ボルト）（Ｂ）とこれに螺合締結される鞘軸（雌ネジ口筒）（Ｎ）とから成る二重軸であり、その鞘軸（Ｎ）の一端部（下端部）を受け入れる一定深さ（ｄ１）（例えば約３．５mm）の正方形な鞘軸受け入れ嵌合口（１５）と、芯軸（Ｂ）の径大な頭部（１６）を受け入れる一定深さ（ｄ２）（例えば約２．５mm）の円形な芯軸受け入れ嵌合口（１７）とが、上記アーム（５）の先端部に上下位置関係での同芯連通状態に開口形成されている。
【００３１】
つまり、一定の板厚（ｔ）（例えば約６mm）を有するアーム（５）の上段位置に一定な大きさ（例えば約１０mm×１０mm）の正方形な鞘軸受け入れ嵌合口（１５）と、同じくアーム（５）の下段位置に一定な大きさ（例えば約１４．２mmの直径）の円形な芯軸受け入れ嵌合口（１７）とが、図９〜１１のような段付き穴形態に加工されているのである。
【００３２】
そして、上記鞘軸（Ｎ）の一端部（下端部）は正方形の差し込み頭部（１８）として、そのアーム（５）の鞘軸受け入れ嵌合口（１５）へ上方から差し込み嵌合されると共に、その鞘軸（Ｎ）のネジ孔部（１９）へ芯軸（Ｂ）の対応的なネジ軸部（２０）が、逆な下方から螺入締結されるようになっている。その芯軸（Ｂ）のネジ軸部（２０）と鞘軸（Ｎ）のネジ孔部（１９）との螺合締結代（Ｓ）は、図示の一例として約１５mmであり、アーム（５）の上記板厚寸法（ｔ）（約６mm）よりも著しく大きい。
【００３３】
上記芯軸（Ｂ）は、好ましくは図示のような一定の太さ（Ｍ６）と長さ（例えば約１７．５mm）を備えたボタンボルトから成り、その円形（例えば約１４mmの直径）な径大頭部（１６）の中心には、六角棒スパナやその他の回動操作工具（図示省略）を係止するための凹溝（２１）が切り欠かれている。
【００３４】
しかも、その鞘軸（Ｎ）との螺合締結状態にある芯軸（Ｂ）の径大な頭部（１６）は、上記アーム（５）の芯軸受け入れ嵌合口（１７）へ沈没した状態にあり、ドアークローザー本体（Ｃ）の取付板（３）やドアー（Ｄ）の上縁部と干渉しないようになっている。
【００３５】
その結果、上記鞘軸（Ｎ）の正方形な差し込み頭部（１８）がアーム（５）の対応的な正方形の鞘軸受け入れ嵌合口（１５）へ差し込み嵌合されていることとも相俟って、その鞘軸（Ｎ）が使用中に回動したり、芯軸（Ｂ）との締結状態が弛緩したりするおそれはなく、優れた耐久強度を維持することができる。
【００３６】
上記鞘軸（Ｎ）は図１２〜１４のように一定の長さ（例えば約２０mm）と太さ（例えば約９．５mmの直径）を有し、その中途部から径方向へ連続一体に張り出された円形（例えば約１５mmの直径）の差し込み深さ規定フランジ（ストッパーフランジ）（２２）が、上記アーム（５）の板面へ上方から接当することによって、そのアーム（５）の鞘軸受け入れ嵌合口（１５）に対する差し込み頭部（１８）の差し込み深さ（ｄ１）を規定するほか、鞘軸（Ｎ）の振れ止め効果も達成する。その差し込み深さ規定フランジ（２２）の厚みは、図示の一例として約１．８mmである。
【００３７】
そして、鞘軸（Ｎ）の他端部（上端部）は上記スライダー（１１）に埋設されている軸受スリーブ（１２）へ、下方から回動自在に差し込み嵌合された状態において、その軸受スリーブ（１２）からの抜け止め座金（２３）にかしめ付けられており、その鞘軸（Ｎ）に対してスライダー（１１）が自由に回動し得る。
【００３８】
上記鞘軸（Ｎ）の中途部にはスライダー受け止め段差部（２４）も設けられており、スライダー（１１）に埋設されている軸受スリーブ（１２）を、その段差部（２４）によって下方から受け止めている。
【００３９】
図示した実施形態の上記構成によれば、スライドガイドレール（９）に沿ってスライドするスライダー（１１）を回動自在に枢支する縦軸が、アーム（５）の先端部へ回動不能に差し込み固定された鞘軸（雌ネジ口筒）（Ｎ）と、これとアーム（５）の板厚寸法（ｔ）よりも著しく大きな螺合締結代（Ｓ）のもとに螺合締結されて、その鞘軸（Ｎ）をアーム（５）からの抜け止め状態に固定維持する芯軸（ボルト）（Ｂ）とから成る二重軸であるため、ドアー（Ｄ）の開閉される毎にスライダー（１１）が回動して、繰り返し振動やショックなどの外力を受けるも、上記鞘軸（Ｎ）が不慮に回動したり、その芯軸（Ｂ）との螺合締結状態が弛緩したり、ましてアーム（５）から脱落したりするおそれはなく、優れた耐久強度と安定な開閉作用を得られる効果がある。
【００４０】
コンシールド型ドアークローザーにおける上記アーム（５）の板厚寸法（ｔ）が例えば約６mmとして、非常に薄肉であっても、その上段位置に正方形の鞘軸受け入れ嵌合口（１５）と、下段位置に円形の芯軸受け入れ嵌合口（１７）とを段付き穴形態に加工し、そのアーム（５）の鞘軸受け入れ嵌合口（１５）へ鞘軸（Ｎ）の対応する正方形な差し込み頭部（１８）を差し込み固定すると共に、その鞘軸（Ｎ）のネジ孔部（１９）へ芯軸（Ｂ）の対応的なネジ軸部（２０）を、下方から奥深く螺入締結することにより、上記効果を達成できる点に、特別の技術的意味がある。
【００４１】
その場合、取り付け仕様如何では上記芯軸（Ｂ）の径大な円形頭部（１６）が、アーム（５）の表面（下面）から突出してもさしつかえないが、その頭部（１６）をアーム（５）の芯軸受け入れ嵌合口（１７）へ沈没状態に差し込み嵌合することが望ましい。また、上記アーム（５）の鞘軸受け入れ嵌合口（１５）に対する鞘軸（Ｎ）の差し込み深さが浅くても、その鞘軸（Ｎ）の中途部から好ましくは芯軸（Ｂ）の径大な頭部（１６）と同じ寸法として、径方向へ連続的に張り出す差し込み深さ規定フランジ（ストッパーフランジ）（２２）が、アーム（５）の表面（上面）へ係止するようになっているため、その芯軸（Ｂ）の径大な頭部（１６）と協働して、上記鞘軸（Ｎ）の振れ止め効果を達成することもできるのである。
【００４２】
尚、図示した実施形態の構成では、鞘軸（雌ネジ口筒）（Ｎ）の一端部となる差し込み頭部（１８）を正方形に造形し、そのアーム（５）の先端部に開口する鞘軸受け入れ嵌合口（１５）を、対応的な正方形に開口形成しているが、上記鞘軸（Ｎ）の差し込み頭部（１８）がアーム（５）の先端部へ回動不能な差し込み固定状態に保たれるならば、その差し込み頭部（１８）と受け入れ嵌合口（１５）とを正方形以外の正多角形や長方形、楕円形、半円形、その他のフラットな一辺面がある輪郭形状に対応形成しても良い。
【００４３】
また、図示の実施形態では標準取り付け仕様として、ドアークローザー本体（Ｃ）をドアー（Ｄ）の上縁部に埋設する一方、スライドガイドレール（９）をドアー開口上枠（１）に沿って固定設置しているが、これとの逆取り付け仕様として、ドアー開口上枠（１）にドアークローザー本体（Ｃ）を埋設する一方、ドアー（Ｄ）の上縁部にスライドガイドレール（９）を取り付け固定する場合においても、本発明の上記構成部材を上下の逆向き使用状態として、そのまま適用実施することができることは、言うまでもない。
【符号の説明】
【００４４】
（１）・ドアー開口側枠
（２）・ピボットヒンジ
（３）・取付板
（４）・回動出力軸
（４ａ）・上端角軸部
（５）・アーム
（５ａ）・嵌合口
（６）（２３）・抜け止め座金
（７）・固定ボルト
（８）・ネジ孔
（９）・スライドガイドレール
（１０）・ドアー開口上枠
（１１）・スライダー
（１２）・軸受スリーブ
（１３）・係止フック
（１４）・ストッパー
（１５）・鞘軸受け入れ嵌合口
（１６）・頭部
（１７）・芯軸受け入れ嵌合口
（１８）・差し込み頭部
（１９）・ネジ孔部
（２０）・ネジ軸部
（２１）・回動操作工具用係止凹溝
（２２）・差し込み深さ規定フランジ（ストッパーフランジ）
（２４）・スライダー受け止め段差部
（Ｂ）・芯軸（ボルト）
（Ｃ）・ドアークローザー本体
（Ｄ）・ドアー
（Ｎ）・鞘軸（雌ネジ口筒）
（Ｏ−Ｏ）（Ｈ−Ｈ）・回動軸線
（Ｓ）・螺合締結代
（ｔ）・板厚
（ｄ１）・深さ
（ｄ２）・深さ
【図１】
2014152502.tif 000003
【図２】
2014152502.tif 000004
【図３】
2014152502.tif 000005
【図４】
2014152502.tif 000006
【図５】
2014152502.tif 000007
【図６】
2014152502.tif 000008
【図７】
2014152502.tif 000009
【図８】
2014152502.tif 000010
【図９】
2014152502.tif 000011
【図１０】
2014152502.tif 000012
【図１１】
2014152502.tif 000013
【図１２】
2014152502.tif 000014
【図１３】
2014152502.tif 000015
【図１４】
2014152502.tif 000016
【図１５】
2014152502.tif 000017
【図１６】
2014152502.tif 000018
【図１７】
2014152502.tif 000019
【図１８】
2014152502.tif 000020
【図１９】
2014152502.tif 000021
【図２０】
2014152502.tif 000022
【図２１】
2014152502.tif 000023
【図２２】
2014152502.tif 000024